(57)【要約】本発明は、分析チップ（４０）の受容のための容器に関し、該容器がケーシング（１０）内に分析チップ（４０）へのアクセスのための開口（１２ａ，１２ｂ；１２ｃ，２５）を有しており、該開口が運動可能なカバー（３０）によって外部の影響に対して保護され、かつ分析チップが分析の実施のために装置内へ差し込まれ、該装置がカバー（３０）の開放のための機構を有している。
2004534939.tif 000002
【特許請求の範囲】
【請求項１】
ケーシング（１０）を備えた容器であって、容器が分析チップ（４０）のための受容部（１１）を有している形式のものにおいて、分析チップ（４０）へ通じて分析媒体を供給するための開口（２５）並びに運動可能なカバー（３０）を備えており、該カバーが閉鎖位置で前記開口（２５）を覆い隠しかつ開放位置で前記開口（２５）を解放するようになっていることを特徴とする、分析チップ用の容器。
【請求項２】
分析チップ（４０）に通じる別の開口（１２ａ，１２ｂ；１２ｃ）をケーシング（１０）に設けてあり、該開口が有利には光学測定法のための窓として形成されており、運動可能なカバー（３０）が閉鎖位置で前記別の開口（１２ａ，１２ｂ；１２ｃ）を覆い隠しかつ開放位置で解放するようになっている請求項１記載の容器。
【請求項３】
運動可能なカバー（３０）がスライド部材であり、該スライド部材が有利にはケーシング（１０）の案内（３１；３２）に沿って滑り運動可能に配置されている請求項１又は２記載の容器。
【請求項４】
ケーシング（１０）と運動可能なカバー（３０）との間にシールを設けてあり、該シールが前記開口（１２ａ，１２ｂ；１２ｃ，２５）の少なくとも１つを、運動可能なカバー（３０）の閉鎖位置でシールするようになっていて、有利にはフリースから成っている請求項１から３のいずれか１項記載の容器。
【請求項５】
分析チップ（４０）がDNAの分析のために形成されている請求項１から４のいずれか１項記載の容器。
【請求項６】
コード化区分（１４）をケーシング（１０）に設けてあり、該コード化区分が有利には孔の配列によって形成されていて、光学的若しくは機械的に検出されるようになっている請求項１から５のいずれか１項記載の容器。
【請求項７】
切欠き（１５）をケーシング（１０）に設けてあり、該切欠きが容器の三次元の方位を一義的に規定するようになっている請求項１から６のいずれか１項記載の容器。
【請求項８】
請求項１から７のいずれか１項記載の容器を受容するための装置において、該装置が容器のための受容区分（６４）及び、有利にはピン（６４）として形成された機構を有しており、該機構が容器のケーシング（１０）のカバー（３０）を分析チップ（４０）の機能のために閉鎖位置から開放位置へ移すようになっていることを特徴とする、容器の受容のための装置。
【請求項９】
容器のための受容区分（６４）に、容器のケーシング（１０）の切欠き（１５）に対応して形成された成形部分（６３）を設けてあり、該成形部分が前記切欠き（１５）内に係合して、これによって前記受容区分（６４）内での装置の一義的な三次元の方位を規定している請求項８記載の装置。
【請求項１０】
装置が、容器のケーシング（１０）に設けられたコード化区分（１４）の検出のための光学的若しくは機械的な検出装置（７０）を有している請求項８又は９記載の装置。
【発明の詳細な説明】
【技術分野】
【０００１】
本発明は、分析チップ、特に分子分析用のチップの受容のための容器、並びに該容器の受容のための装置に関する。
【０００２】
殊に医学的及び生物学的な分野における最新の分析は、今日ますますコンパクトな分析手段を必要としている。この場合に殊に分析チップが使用され、分析プロセスが分析チップの表面で実施される。分析チップの表面が化学的に活性の少なくとも１つの層を有しており、該層が分析プロセスに際して分析媒体と接触させられて、チップ表面と分析媒体との反応が適切な測定法によって分析される。分析チップは、種々の化学物質を含む場の密閉された装置を有している。これによって、個別の複数の分析が唯一の分析チップで行われる。
【０００３】
分析チップの寸法の小さい化学活性構造及び分析プロセスの実施に対する高い要求は、分析チップを一般的に外部影響に対して敏感にしている。チップ表面のわずかな汚染、例えば指紋も分析チップを使用不能なものにしてしまう。このような理由によって、分析チップは一般的に厳しい清浄条件を維持して製造され、かつ供給される。このような分析チップは特に搬送及びストックの目的で念入りに包装され、かつ汚れに対して保護される。分析チップは分析のために再び開かれて、分析環境に移され、この場合にチップ表面が汚れに対して確実に保護されねばならない。
【０００４】
分析チップの取り扱いの際の前述の要求は、実際には問題で、分析チップの作業を困難なものにしている。
【０００５】
本発明の課題は、分析チップの経済的な被覆若しくは包みを提供して、該包みが敏感なチップ表面を外部の影響に対して保護して、分析チップの安全かつ簡単な取り扱いを可能にすることである。さらに本発明の課題は、分析チップの被覆若しくは包みの安全かつ簡単な取り扱いのための装置を提供することである。
【０００６】
前述の課題が、請求項１に記載の容器若しくはコンテナ並びに請求項８に記載の装置によって解決された。本発明のさらに有利な実施態様が従属請求項に記載してある。
【０００７】
本発明に基づく容器は、分析チップが不動に取り付けられる受容部の備えられたケーシング、並びに分析媒体のためのアクセス部を有しており、その結果、分析プロセスのために容器から分析チップを取り出す必要がない。これによって、分析チップの取り扱いが簡単である。さらに本発明に基づく容器は運動可能なカバーを有しており、該カバーが閉鎖位置で、例えば搬送中若しくはストック中に容器内の分析チップへの分析媒体のためのアクセス部、例えば通路部を覆い隠しかつ開放位置で分析過程中にアクセス部を分析媒体のために解放するようになっている。このようにして、分析媒体のためのアクセス部、ひいては分析チップの表面が外部の影響、例えば汚れに対して確実に保護される。
【０００８】
本発明の有利な実施態様では、容器が、分析チップを調べるための別の少なくとも１つの開口区分（開口領域）を有しており、該開口区分が有利には光学測定法のための窓として形成されている。これによって、分析プロセスの評価のために容器から分析チップを取り出す必要がない。運動可能なカバーが、カバーの閉鎖位置で別の開口区分をも覆い隠すようになっている。これによって、開口区分における外部影響、例えばかき傷による損傷が避けられ、ひいては分析結果の読み取りの際のエラーが避けられる。これによって全体的に分析プロセスの表示力が高められる。
【０００９】
本発明の別の有利な実施態様では、カバーがスライドカバーとして形成されており、該スライドカバーが案内に沿って滑り可能に支承されている。これによって、特に簡単かつ容易に実施可能な保護機構が達成される。
【００１０】
本発明の別の有利な実施態様では、容器が容器ケーシングとカバーとの間にシールを有しており、該シールが有利にはフリースから成っている。これによって確実に、分析チップへの容器のアクセス部が小さい粒子、例えばほこりに対して保護される。
【００１１】
本発明の別の有利な実施態様では、容器ケーシングがコード化区分を有しており、該コード化区分が光学的若しくは機械的に検出される。これによって、分析チップの取り違えが確実に避けられる。
【００１２】
本発明の別の有利な実施態様では、容器ケーシングが切欠きを有しており、該切欠きが容器の三次元の方位、即ち向きを一義的に規定するようになっている。これによって、分析チップを分析装置内へ間違って挿入することが避けられる。
【００１３】
本発明に基づく容器の受容のための本発明に基づく装置は、容器に適合された受容区分及び機構を有しており、該機構が容器のスライドカバーを閉鎖位置から開放位置へ移すようになっている。有利にはスライドケースとして形成された受容部区分が、装置内に形成された分析装置への容器の簡単かつ正確な供給を可能にする。有利にはピンとして形成されて容器のスライドカバーを開くための機構が、装置内ではじめて分析チップへのアクセス部を解放するようになっており、従ってアクセス部、ひいては分析チップ自体が、例えばスライドカバーを予め開けた状態で容器を装置内へ挿入した場合には分析チップ若しくはアクセス部に作用することになる外部の影響に対して保護されている。
【００１４】
本発明に基づく容器の受容のための本発明に基づく装置の有利な実施態様では、成形部分を次のように設けてあり、即ち該成形部分が容器ケーシングの切欠き内に係合するようになっている。これによって、受容装置内での容器の明確な位置が保証される。
【００１５】
本発明に基づく容器の受容のための本発明に基づく装置の別の有利な実施態様では、装置が、容器のケーシングに形成されたコード化区分の検出のための光学的若しくは機械的な検出装置を有している。これによって、容器のコード化区分の評価が簡単に達成され、ひいては分析チップを取り違えて装着するおそれが避けられる。
【００１６】
本発明の有利な実施例を図面に基づき詳細に説明する。この場合に図１、図３、図５、図７乃至図１１が、分析チップの受容のための本発明に基づく容器の１つの実施例の異なる箇所の詳細図である。
【００１７】
図２が本発明に基づく容器内での分析チップの受容保持及びシールの別の実施例を示しており、図４が本発明に基づく容器ケーシングへの分析媒体用の外部の流入又は流出管路の接続のための別の実施例を示しており、図６が本発明に基づく容器のスライドカバーの案内のための別の実施例を示しており、図１２及び図１３が本発明に基づく容器の受容のための装置の実施例を示している。
【００１８】
分析チップの受容のための本発明に基づく容器は、DNA-分析の実施のための分析チップを受容する容器を例にとって説明することにし、その分析結果が光学的な測定法によって検査される。
【００１９】
図示の容器は任意の分子若しくは生物試料の分析のためのチップにとっても同様に使用可能である。利用される測定法は光学的な測定法によって限定されるものではない。
【００２０】
図１は、分析チップ４０の受容のための本発明に基づく容器のケーシング１０の横断面図である。該容器ケーシング１０は凹設部１１を有しており、該凹設部内に分析チップ４０が取り付けられている。容器ケーシング１０は分析チップ４０の上方及び下方にそれぞれ１つの開口区分１２ａ，１２ｂを有しており、該開口区分が有利には光学測定法のための窓として形成されている。
【００２１】
分析チップ４０が２つのガラスプレート４１，４２、及び該ガラスプレート間に配置された化学的に活性な層４３を含んでいる。下側のガラスプレート４２内に複数の通路４４を形成してあり、該通路が該ガラスプレート４２の上側で、化学的に活性な層４３内の有利には蛇行状に形成された通路４５に開口している。ガラスプレート４２の下側で各通路４４は、有利にはフラットシールとして形成された１つのシール２１を介してそれぞれ容器ケーシング１０の通路２０に密に接続されている。通路２０が分析媒体のための流入管路若しくは流出管路として役立っている。別の実施例では、シール２１が接着材によって形成されていてよい。
【００２２】
図２は本発明の別の実施例を示しており、分析チップ４０が図１と同様に本発明に基づく容器のケーシング１０内に取り付けられている。下側のガラスプレート４２の各通路４４が、下側の部分でリング状のシール部材２２を用いて容器ケーシング１０の通路２０に密に接続されている。分析チップ４０の上方に蓋１３が配置されており、該蓋（覆い）によって分析チップ４０が弾性的なシール部材２２に向けて押圧される。蓋１３が容器ケーシング１０と密な結合部を成しており、該結合部が有利には接着部として若しくは溶接部として形成される。蓋１３が分析チップ４０の上方に開口区分１２ｃを有しており、該開口区分が光学測定法のための窓として形成されている。
【００２３】
別の実施例では蓋１３が、可逆的な結合部を介して、例えばシール部材及び締め付け装置を用いて容器ケーシング１０と結合されてよく、この場合には容器の繰り返し使用が可能である。
【００２４】
図３には、分析媒体のための外部の流入又は流出管路２４と本発明に基づく容器ケーシング１０の、分析媒体の流入又は流出のために設けられた開口２５との間の有利な接続構成が示してある。分析媒体の通路２０が開口２５の領域で挿入部分２３に開口しており、挿入部分が有利には金属から成っている。挿入部分２３に、円錐形に形成された凹設部が配置されており、凹設部に、分析媒体のための外部の流入又は流出管路２４の円錐形に形成された端部区分２６が嵌合しており、これによって面２７を介して密な結合部が生じている。
【００２５】
図４には、分析媒体のための外部の流入又は流出管路２４と容器ケーシング１０の通路２０との間の別の接続構成が示してあり、この場合、環状の縁部（エッジ）２９を介して接続部のシールが生じている。
【００２６】
別の実施例として挿入部分が省略されてよく、この場合には流入又は流出管路２４が直接に容器ケーシング１０に装着して密閉される。
【００２７】
図５は、分析チップ４０のための本発明に基づく容器の容器ケーシング１０の断面を示しており、この場合、スライドカバー３０として形成された移動可能（運動可能）なカバーを設けてあり、該カバーが容器ケーシング１０全体を取り囲んでいる。スライドカバー３０が、スライドカバーの移動方向に沿って長さの少なくとも部分領域（一部分）にわたって細長い開口３７を有しており、該開口内に、容器ケーシング１０の有利には細長い案内部分３１が嵌合しており、従って、スライドカバー３０が傾くことなく案内される。
【００２８】
図６は、スライドカバー３０の図５に示す案内の別の実施例を示している。この場合には、スライドカバー３０の少なくとも一部分にわたって延びる開口３８の１つの縁部の領域が、曲げ出された舌片３３を形成しており、該舌片が、容器ケーシング１０の少なくとも一部分にわたってスライドカバー３０の移動方向へ延びる案内溝３２内に係合していて、スライドカバー３０をスライドカバーの移動に際して傾かないように案内している。
【００２９】
容器に、スライドカバー３０と異なって別の形式の運動可能なカバー、例えばヒンジ若しくは丁番を介して容器ケーシング１０に結合された開閉可能若しくは旋回運動可能なカバーが設けられていてよい。
【００３０】
前述のように形成された運動可能なカバーが、閉鎖位置では分析チップへのアクセス部を覆っていて、有利には分析装置内の機構によって自動的に開かれるようになっている。これによって、分析装置の外側での分析チップの安全な取り扱いが保証されている。
【００３１】
本発明に基づく容器の容器ケーシング１０の有利な実施例では、スライドカバー３０のための戻し機構が設けられている。容器ケーシング１０が、図７に示してあるように、別の部分５０に戻しばね５１を有しており、該戻しばねが容器ケーシング１０の角隅部５３と、スライドカバー３０の、容器ケーシング１０の狭幅側の細長い開口５２内を延びる舌片３４との間に取り付けられている。図７は、戻しばね５１をスライドカバー３０の閉鎖位置で示している。スライドカバー３０の開放位置では、戻しばね５１は締め付けられ、即ち圧縮されて、戻し力をスライドカバー３０に生ぜしめており、該戻し力がスライドカバー３０を自動的に再び閉鎖位置へ移動させる。
【００３２】
図８が本発明に基づく容器の容器ケーシング１０の平面図である。理解の助けのために、容器ケーシング１０の内部に配置されて覆い隠れている分析チップ４０が一緒に記入されている。スライドカバー３０が上側及び下側にそれぞれ開口３５ａ，３５ｂを有している。開口３５ａ，３５ｂが次のように配置されており、即ち、分析チップ４０の上方及び下方に位置して容器ケーシング１０に設けられて有利には光学測定法のための窓として役立つ開口区分１２ａ，１２ｂが、図８に示す閉鎖位置では閉じらるようになっている。スライドカバー３０が、図８に示す閉鎖位置から案内部分３１に沿って開放位置へ傾きなく案内され、これによって容器ケーシング１０の開口区分１２ａ，１２ｂが、スライドカバー３０の開口３５ａ，３５ｂを介した光学的な測定の実施のために解放される。
【００３３】
図８の上側部分に容器ケーシング１０がコード化区分１４を有しており、コード化区分が図示の実施例では５つの穴によって形成されていて、光学的若しくは機械的に検出されるようになっている。これによって、分析チップの取り違えが避けられる。図８の右上側部分に容器ケーシング１０の切欠き１５を示してあり、切欠きが分析装置内での容器ケーシングの三次元の方位、即ち向きを明確に規定している。
【００３４】
図９は、図８の本発明に基づく容器のケーシング１０の一方の側面を示しており、スライドカバー３０がさらに開口３６を有しており、該開口が、スライドカバー３０の閉鎖位置で該スライドカバーによって隠されていて図９に理解のために描かれた容器１０の開口２５を、スライドカバー３０の開放位置で解放するようになっている。スライドカバー３０に設けられていて容器ケーシング１０の細長い、即ち縦長の開口５２内に係合する舌片３４が、戻しばね５１を支持しており、戻しばねがスライドカバー３０の開放位置で戻し力をスライドカバー３０に生ぜしめて、該スライドカバーを閉鎖位置へ戻すようになっている。
【００３５】
容器ケーシング１０が案内溝１６を有しており、該案内溝が容器の受容のための本発明に基づく装置内の、有利にはピン６５として形成された開放機構のために設けられており、該案内溝内にピン６５が係合して、スライドカバー３０を閉鎖位置から開放位置へ移動させるようになっている。
【００３６】
図１０は、図８及び図９に示す本発明に基づく容器１０のケーシング１０の横断面図であり、分析チップ４０が容器ケーシング１０の凹設部１１内にはめ込まれている。容器ケーシング１０が分析チップ４０の上方及び下方に開口区分１２ａ，１２ｂを有しており、該開口区分が光学測定法のための窓として形成されている。スライドカバー３０が、容器ケーシング１０の全横断面を取り囲むスリーブを形成しており、該スリーブの、図１０の右上側の部分の細長い開口３７が、容器ケーシング１０の隆起部として形成された案内部分（案内レール）３１に密接しており、その結果、スライドカバー３０の傾きのない運動が保証されている。外部の流入又は流出管路２４（図示せず）のための接続部として形成された開口２５が、スライドカバー３０の閉鎖位置では該スライドカバーによって覆い隠され、即ち遮蔽されている。
【００３７】
図１１は、図８乃至図１０の本発明に基づく容器のケーシング１０の他方の側面を示しており、該側面が、容器ケーシング１０内に分析媒体のための外部の流入又は流出管路２４用の接続部として形成された４つの開口２５を備えている。図面を見易くするために、容器ケーシング１０の開口２５を閉鎖位置では遮蔽してかつ開放位置では解放するスライドカバー３０は、図示されていない。
【００３８】
図１２は、本発明に基づく容器の受容のための本発明に基づく装置の断面図である。該装置がケーシング６０に開口区分６１を有しており、該開口区分６１が有利には装置のフロント面、即ち正面側に配置されている。開口区分６１内に、有利にはスライドケース（引き出し）６２として形成された受容装置が収納されており、受容装置の受容区分６４が、容器ケーシング１０の形状に正確に適合された凹所を有しており、従って、受容区分６４内にはめ込まれた容器がぐらつきのない座りを有している。スライドケース６２が、図１２に示してあるように開放位置で容器ケーシング１０を載せられる。容器ケーシング１０の切欠き１５に対応してスライドケース６２に形成された成形部分６３が、スライドケース６２の受容区分６４内での容器ケーシング１０の一義的な位置を保証している。
【００３９】
ケーシング６０の内部に、ピン６５として形成された機構を配置してあり、該機構、即ちピンがスライドケース６２の閉鎖過程に際してスライドケース６２の凹所６６に沿っても、容器ケーシング１０の案内溝１６に沿っても案内され、その際に容器ケーシング１０のスライドカバー３０を連行し、その結果、スライドカバーが閉鎖位置から開放位置へ移される。
【００４０】
図１３には、本発明に基づく容器を装着されたスライドケース６２が閉鎖位置で示してあり、容器のスライドカバー３０が本発明に基づく装置内の不動に取り付けられたピン６５によって、スライドカバーの開放位置に移されている。従って、容器ケーシング１０内に光学測定法のための窓として形成された開口区分１２ａ，１２ｂが、スライドカバーの開口３５ａ，３５ｂによって解放されている。容器ケーシング１０内に分析媒体のための外部の流入又は流出管路２４（図１３には図示せず）用の接続部として形成された開口２５（同じく図示せず）も、スライドカバーから解放されている。
【００４１】
容器ケーシング１０のコード化区分１４の検出のために設けられた機械的な検出装置７０が、コード化区分１４の上方若しくは下方に配置されていて、有利にはピン７１から成っており、該ピンが、適当な機構（図示せず）を用いてコード化区分１４に設けられた穴内に係合される。ピン７１の位置が従来の方法で評価される。別の実施例として、コード化区分１４の検出のために光学式の検出装置（図示せず）を設けることも可能であり、該検出装置が単数若しくは複数の光源を有しており、該光源の光がコード化区分１４の穴を通過させられて、単数若しくは複数のフォトーセンサーによって検出されて、評価装置（図示せず）を用いて評価される。
【００４２】
検出装置７０は装置の内部に取り付けられていてよく、この場合にはコード化区分１４がスライドケース６２の閉鎖位置で検出装置７０に当てられ、或いは検出装置７０がスライドケース６２に取り付けられていてよく、この場合にはコード化区分１４の評価がスライドケース６２の開放位置で行われる。
【００４３】
分析を実施する本発明に基づく容器の受容のための前述の装置は、分析装置内への分析チップの確実かつ正確な装着を可能にし、ひいては分析チップの簡単な取り扱いで再現可能な分析結果を保証するものである。
【図面の簡単な説明】
【００４４】
【図１】分析チップの受容のための容器の実施例の横断面図
【図２】容器内での分析チップの受容保持及びシールの別の実施例の横断面図
【図３】容器ケーシングと外部の流入又は流出管路の接続部の実施例の断面図
【図４】容器ケーシングと外部の流入又は流出管路の接続部の別の実施例の断面図
【図５】容器ケーシングにおけるカバーの案内の実施例の横断面図
【図６】容器ケーシングにおけるカバーの案内の別の実施例の横断面図
【図７】容器ケーシングにおけるカバーの戻し機構の実施例を示す図
【図８】容器ケーシングの平面図
【図９】図８の容器ケーシングの一方の側面図
【図１０】図８の容器ケーシングの横断面図
【図１１】図８の容器ケーシングの他方の側面図
【図１２】容器の受容のための装置の実施例の開放位置での断面図
【図１３】容器の受容のための装置の実施例の閉鎖位置での断面図
【符号の説明】
【００４５】
１０  容器ケーシング、  １１  凹設部、  １２ａ，１２ｂ，１２ｃ  開口区分、  １３  蓋、  １４  コード化区分、  １５  切欠き、  １６  案内溝、  ２１  シール、  ２２  シール部材、  ２４  流入又は流出管路、  ３０  スライドカバー、  ３１  案内部分、  ３３，３４  舌片、  ３５ａ，３５ｂ，３６  開口、  ４０  分析チップ、  ４１，４２  ガラスプレート、  ４３  層、  ４４，４５  通路、  ５１  戻しばね、  ５２  開口、  ６０  ケーシング、  ６１  開口区分、  ６２  スライドケース、  ６４  受容区分、  ６５  ピン、  ６６  凹所、  ７１  ピン
【国際公開パンフレット】
2004534939.tif 000003
2004534939.tif 000004
2004534939.tif 000005
2004534939.tif 000006
2004534939.tif 000007
2004534939.tif 000008
2004534939.tif 000009
2004534939.tif 000010
2004534939.tif 000011
2004534939.tif 000012
2004534939.tif 000013
2004534939.tif 000014
2004534939.tif 000015
2004534939.tif 000016
2004534939.tif 000017
2004534939.tif 000018
2004534939.tif 000019
2004534939.tif 000020
2004534939.tif 000021
2004534939.tif 000022
2004534939.tif 000023
【国際公開パンフレット（コレクトバージョン）】
2004534939.tif 000024
2004534939.tif 000025
【手続補正書】
【提出日】平成15年5月20日(2003.5.20)
【手続補正１】
【補正対象書類名】特許請求の範囲
【補正対象項目名】全文
【補正方法】変更
【補正の内容】
【特許請求の範囲】
【請求項１】
ケーシング（１０）を備えた容器であって、容器が分析チップ（４０）のための受容部（１１）を有し、かつ分析チップ（４０）へ通じて分析媒体を供給するための開口（２５）並びに運動可能なカバー（３０）を備えており、該カバーが閉鎖位置で前記開口（２５）を覆い隠しかつ開放位置で前記開口（２５）を解放するようになっており、分析チップ（４０）に通じる別の開口（１２ａ，１２ｂ；１２ｃ）をケーシング（１０）に設けてあり、該開口が有利には光学測定法のための窓として形成されており、運動可能なカバー（３０）が閉鎖位置で前記別の開口（１２ａ，１２ｂ；１２ｃ）を覆い隠しかつ開放位置で解放するようになっていることを特徴とする、分析チップ用の容器。
【請求項２】
運動可能なカバー（３０）がスライド部材であり、該スライド部材が有利にはケーシング（１０）の案内（３１；３２）に沿って滑り運動可能に配置されている請求項１記載の容器。
【請求項３】
ケーシング（１０）と運動可能なカバー（３０）との間にシールを設けてあり、該シールが前記開口（１２ａ，１２ｂ；１２ｃ，２５）の少なくとも１つを、運動可能なカバー（３０）の閉鎖位置でシールするようになっていて、有利にはフリースから成っている請求項１又は２記載の容器。
【請求項４】
分析チップ（４０）がDNAの分析のために形成されている請求項１から３のいずれか１項記載の容器。
【請求項５】
コード化区分（１４）をケーシング（１０）に設けてあり、該コード化区分が有利には孔の配列によって形成されていて、光学的若しくは機械的に検出されるようになっている請求項１から４のいずれか１項記載の容器。
【請求項６】
切欠き（１５）をケーシング（１０）に設けてあり、該切欠きが容器の三次元の方位を一義的に規定するようになっている請求項１から５のいずれか１項記載の容器。
【請求項７】
請求項１から６のいずれか１項記載の容器を受容するための装置において、該装置が容器のための受容区分（６４）及び、有利にはピン（６４）として形成された機構を有しており、該機構が容器のケーシング（１０）のカバー（３０）を分析チップ（４０）の機能のために閉鎖位置から開放位置へ移すようになっていることを特徴とする、容器の受容のための装置。
【請求項８】
容器のための受容区分（６４）に、容器のケーシング（１０）の切欠き（１５）に対応して形成された成形部分（６３）を設けてあり、該成形部分が前記切欠き（１５）内に係合して、これによって前記受容区分（６４）内での装置の一義的な三次元の方位を規定している請求項７記載の装置。
【請求項９】
装置が、容器のケーシング（１０）に設けられたコード化区分（１４）の検出のための光学的若しくは機械的な検出装置（７０）を有している請求項７又は８記載の装置。
【国際調査報告】
2004534939.tif 000026
2004534939.tif 000027
2004534939.tif 000028
2004534939.tif 000029
2004534939.tif 000030
2004534939.tif 000031